(57)【特許請求の範囲】
【請求項１】
車両情報を表示可能な表示部を有する計器と、前記車両情報の計測値を示す車両情報データに基づいて前記表示部を動作させ、また、所定時間中の前記車両情報データを記憶手段に記憶させる制御手段と、を備える計器の駆動装置であって、前記表示部は、通常時の走行距離であるトリップ値と前記記憶手段に前記車両情報データを記憶させる記憶処理中の走行距離であるレックトリップ値とを表示可能であり、前記制御手段は、前記車両情報データの記憶処理を開始させると、前記レックトリップ値を示す積算データを算出して前記表示部に、前記トリップ値の表示から切替えて表示させてなることを特徴とする計器の駆動装置。
【請求項２】
前記制御手段は、前記車両情報データの記憶処理が終了されると、前記レックトリップ値の算出及び表示を終了させてなることを特徴とする請求項１に記載の計器の駆動装置。
【請求項３】
前記制御手段は、所定操作に応じて前記記憶手段に記憶された前記車両情報データに基づいて前記表示部を再生表示動作させてなることを特徴とする請求項１に記載の計器の駆動装置。
【請求項４】
前記制御手段は、前記車両情報データとして前記レックトリップ値を示す前記積算データを前記記憶手段に記憶させ、前記記憶手段に記憶された前記積算データに基づいて前記表示部を再生表示動作させてなることを特徴とする請求項３に記載の計器の駆動装置。
【請求項５】
前記制御手段は、前記表示部に前記レックトリップ値を表示させる際に、前記トリップ値の表示とは異なる表示形態で表示させてなることを特徴とする請求項１または請求項４に記載の計器の駆動装置。
【発明の詳細な説明】
【技術分野】
【０００１】
本発明は、車両の走行速度，エンジン回転数等の車両情報を表示する計器の駆動装置に関するものである。
【背景技術】
【０００２】
従来、車両用計器としては、例えば速度計，回転計（ＴＡメータ），温度計，燃料計等を有するコンビネーションメータとして搭載されるものや、サーキットレース場等を走行する車両や、スーパーチャージャあるいはターボ付の車両に搭載されることが多い吸気圧計（ブースト計），排気温度計あるいは燃圧計等がある。かかる計器は、各種の車両情報を各種センサーやイグニッションパルス（ＴＡパルス），スピードパルス（ＳＰパルス）等にて検出し、アナログ式表示部あるいはデジタル表示部等の表示部によって各種の車両情報を表示するものである。
【０００３】
また、かかる計器、特にサーキットレース場等を走行する走行車両に備えられる計器においては、レースにおける走行状態を把握するために、所定時間中の車両情報を記憶させたり、あるいはこの記憶した過去の車両情報を前記表示部で再生表示動作させたりできるものが望まれていた。
【０００４】
そこで、本願出願人は、特許文献１において、車両情報を検出し、表示部によって前記車両情報を表示する計器であって、前記表示部を前記車両情報に応じて表示動作させる車両情報データを所定時間記憶する記憶手段を備え、また、前記記憶手段に記憶された車両情報データに基づき前記表示部を表示動作させる再生手段を備える計器の駆動装置を提案している。
【０００５】
特許文献１にて開示される計器の駆動装置によれば、ユーザーは、走行時の過去の車両情報を通常動作と同じように目視で確認することができ、特にタイムトライアルやサーキットレース等の所定時間中における前記車両情報を記憶し、また、再現させることで、レースにおける自己の運転を復習してレースタイムの向上を検討することができる。また、走行時におけるエンジン性能等の車両の走行特性を把握でき、エンジン等の車両部品を調整するための情報を得ることができる。
【特許文献１】特開２０００−４６５８８号公報
【特許文献２】特開２００５−１８１２３９号公報
【発明の開示】
【発明が解決しようとする課題】
【０００６】
しかしながら、上述の走行中における前記車両情報データを記憶する機能を備える計器の駆動装置においては、前記車両情報データを記憶している間に車両が走行した走行距離をユーザーが瞬時に認識することができないという点で更なる改善の余地があった。なお、車両用の計器として、走行距離を表示するものは広く知られており（例えば特許文献２参照）、前記車両情報データの記憶を開始した時点の走行距離と最新の走行距離との対比によって記憶処理中の走行距離を把握することができるものの走行中に数値の対比を行うことは非常に煩雑な作業であり、記憶処理中の走行距離を瞬時に把握することができない。
【０００７】
本発明は、前記問題点に鑑み、車両が走行する所定時間中における車両情報データを記憶する機能を備える計器の駆動装置を更に改善し、ユーザーが前記車両情報データを記憶している間に車両が走行した走行距離を瞬時に認識することが可能な計器の駆動装置を提供することを目的とする。
【課題を解決するための手段】
【０００８】
発明の計器の駆動装置は、前記課題を解決するために、車両情報を表示可能な表示部を有する計器と、前記車両情報の計測値を示す車両情報データに基づいて前記表示部を動作させ、また、所定時間中の前記車両情報データを記憶手段に記憶させる制御手段と、を備える計器の駆動装置であって、前記表示部は、通常時の走行距離であるトリップ値と前記記憶手段に前記車両情報データを記憶させる記憶処理中の走行距離であるレックトリップ値とを表示可能であり、前記制御手段は、前記車両情報データの記憶処理を開始させると、前記レックトリップ値を示す積算データを算出して前記表示部に、前記トリップ値の表示から切替えて表示させてなることを特徴とする。
【０００９】
また、前記制御手段は、前記車両情報データの記憶処理が終了されると、前記レックトリップ値の算出及び表示を終了させてなることを特徴とする。
【００１１】
また、前記制御手段は、所定操作に応じて前記記憶手段に記憶された前記車両情報データに基づいて前記表示部を再生表示動作させてなることを特徴とする。
【００１２】
また、前記制御手段は、前記車両情報データとして前記レックトリップ値を示す前記積算データを前記記憶手段に記憶させ、前記記憶手段に記憶された前記積算データに基づいて前記表示部を再生表示動作させてなることを特徴とする。
【００１３】
また、前記制御手段は、前記表示部に前記レックトリップ値を表示させる際に、前記トリップ値の表示とは異なる表示形態で表示させてなることを特徴とする。
【発明の効果】
【００１４】
本発明は、車両の走行速度，エンジン回転数等の車両情報を表示する計器の駆動装置に関し、車両が走行する所定時間中における車両情報データを記憶する機能を備える計器の駆動装置を更に改善し、ユーザーが前記車両情報データを記憶している間に車両が走行した走行距離を瞬時に認識することが可能となる。
【発明を実施するための最良の形態】
【００１５】
以下、本発明の実施形態を添付図面に基づいて説明する。図１は、本発明の実施形態である計器の駆動装置１における電気的構成を示しており、図２は、計器の駆動装置１の外観を示している。
【００１６】
計器の駆動装置１は、入力手段２と、第一の制御手段（制御手段）３ａ，メモリーカード（記憶手段）３ｂ及び第一の発光部３ｃを有するコントロールユニット３と、スイッチユニット４と、第二の制御手段（制御手段）５ａ，第一のアナログ表示部５ｂ，第二のアナログ表示部５ｃ，デジタル表示部（表示部）５ｄを有するコンビネーションメータ（計器）５とから主に構成される。
【００１７】
入力手段２は、車速センサ２ａ，イグニッションコイルからのパルス信号（以下、ＴＡパルスという）を入力するための信号ライン２ｂ，水温センサ２ｃ，油温センサ２ｄ及び過給圧センサ２ｅの第一，第二のアナログ表示部５ｂ，５ｃ及びデジタル表示部５ｄにて表示させる車両情報を検出する各種センサ及び信号ラインからなり、第一の制御手段３ａに前記車両情報を示す各状態信号を出力する。なお、車速センサ２ａは、走行距離に比例して状態信号（パルス信号）を出力するものであり、走行距離の積算値を検出するための距離検出手段としても用いられる。
【００１８】
コントロールユニット３は、図２に示すように、樹脂材料等からなるユニットケース３ｄに第一の制御手段３ａ及びメモリーカード３ｂを収納してなるものである。なお、メモリーカード３ｂは、ユニットケース３ｄに形成されるカードスロット（収納部）３ｅに着脱可能に配設されている。また、ユニットケース３ｄのカードスロット３ｅ近傍にはカードスロット３ｅ内にメモリーカード３ｂが収納されていることを報知するＬＥＤ等からなる第一の発光部３ｃが形成されている。
【００１９】
第一の制御手段３ａは、主としてマイクロコンピュータからなり、第一の入力手段２からの前記状態信号を入力する入力部と、所定の処理動作プログラムを実行するＣＰＵと、前記処理動作プログラム等が記憶されたＲＯＭと、前記ＣＰＵにより処理されたデータ等を一時的に記憶するＲＡＭと、コンビネーションメータ５の表示機能に関する設定値等のデータを不揮発的に記憶するＥＥＰＲＯＭやバックアップＲＡＭ等からなる記憶部と、前記ＣＰＵによって算出される前記データを所定の周期により送信する送信部とから構成されている。第一の制御手段３ａは、入力手段２から前記各状態信号を入力すると、前記各状態信号に応じて所定の演算処理を行い前記車両情報の計測値を示す各車両情報データを算出し、前記各車両情報データを第二の制御手段５ａに送信する。なお、走行距離の積算値を示す積算データは、車速センサ２ａからの状態信号に応じて所定の演算処理を行うことで算出される。
【００２０】
第一の制御手段３ａは、前記車両情報データをメモリーカード３ｂに同期して記憶させる記憶機能を有する。また、第一の制御手段３ａは、前記記憶機能において前記車両情報データをメモリーカード３ｂに記憶させる書き込み処理（記憶処理）中に車両が走行したの走行距離（記憶処理中の走行距離。以下、レックトリップ値という）をデジタル表示部５ｄに表示させるレックトリップ表示機能を有する。また、第一の制御手段３ａは、前記記憶機能によってメモリーカード３ｂに記憶された前記車両情報データに基づいてコンビネーションメータ５の第一，第二のアナログ表示部５ｂ，５ｃ及びデジタル表示部５ｄとを同期して再生表示動作させる再生表示機能を有する。
【００２１】
また、第一の制御手段３ａは、メモリーカード３ｂとの通信状態を検出し、カードスロット３ｅ内にメモリーカード３ｂが収納されてメモリーカード３ｂと通信可能となった場合は第一の発光部３ｃを点灯させ、カードスロット３ｅからメモリーカード３ｂが取り出されてメモリーカード３ｂと通信されない場合は第一の発光部３ｃを消灯させる。なお、第一の発光部３ｃは所定時間点灯を維持された後に消灯されるものであってもよい。また、第一の制御手段３ａは、メモリーカード３ｂにおける前記車両情報データの記憶可能時間を算出し、この記憶可能時間が所定の設定時間（例えば、１０分間）以下となった場合に、後述する第二の制御手段５ａに第二の発光部５ｅを点滅させる。
【００２２】
メモリーカード３ｂは、データを書き込み及び読み出し可能なフラッシュメモリをケース体内に備えてなる小型の記憶手段であり、図２に示すように、カードスロット３ｅに着脱可能に配設され、第一の制御手段３ａと接続されるものである。メモリーカード３ｂは第一の制御手段３ａの書き込み処理によって前記車両情報データを記憶する。
【００２３】
スイッチユニット４は、図２に示すように、樹脂材料等からなるスイッチケース４ａに複数の押しボタンスイッチ４ｂが配設されてなるものであり、コントロールユニット３におけるコンビネーションメータ５のデジタル表示部５ｄの表示内容の切り換え，前記記憶機能の書き込み処理開始あるいは終了の確定、前記記憶機能における記憶時間の設定、前記再生機能における再生表示動作開始あるいは終了の確定等を行うため操作手段である。
【００２４】
コンビネーションメータ５は、図２に示すように、第二の制御手段５ａ，第一のアナログ表示部５ｂ，第二のアナログ表示部５ｃ，デジタル表示部５ｄ及び第二の発光部５ｅを樹脂材料等からなるメータケース５ｆに備えてなり、車両のダッシュボード上やハンドルコラムカバー上等に設置されるものである。なお、コンビネーションメータ５の表示面側は、透光性の樹脂材料等からなるカバー体（図示しない）によって覆われている。
【００２５】
第二の制御手段５ａは、ＣＰＵ，ＲＯＭ及びＲＡＭから構成されるマイクロコンピュータから主に構成されるものである。第二の制御手段５ａは、第一の制御手段３ａから送信される前記各車両情報データを受信する受信部を有し、受信した前記各車両情報データに基づき、第一の駆動回路６ｆを介して駆動信号を第一，第二のアナログ表示部５ｂ，５ｃに出力して第一，第二のアナログ表示部５ｂ，５ｃを前記車両情報の計測値を示す表示動作をさせ、また、第二の駆動回路６ｇを介して駆動信号をデジタル表示部５ｄに出力し、デジタル表示部５ｄに前記車両情報の計測値を表示させる。
【００２６】
第一，第二のアナログ表示部５ｂ，５ｃは、図２に示すように、指針５ｂ１，５ｃ１と、アナログ指標部５ｂ２，５ｃ２と、を有するものである。ユーザーは、指針５ｂ１、５ｃ１とアナログ指標部５ｂ２，５ｃ２との対比判読により、前記車両情報の計測値を読み取ることが可能となる。なお、本実施形態においては第一のアナログ表示部５ｂは、前記車両情報としてエンジンの回転数を０ｒｐｍから１１０００ｒｐｍまでの範囲で表示するものである。また、第二のアナログ表示部５ｃは、前記車両情報としてエンジンの過給圧を−８０ｋＰａから３００ｋＰａまでの範囲で表示するものである。各指針５ｂ１，５ｃ１は、ステッピングモータや交差コイルからなる駆動本体（図示しない）の回転軸を介して回動するものである。各アナログ指標部５ｂ２，５ｃ２は、文字板６ｇ上に印刷形成されるものであり、目盛りや数字等からなり略円弧状に設けられる複数の指標を有する。
【００２７】
デジタル表示部５ｄは、例えば、有機ＥＬディスプレイからなり、図２に示すように、数字表示によって複数の前記車両情報の計測値を表示するものである。なお、図２は前記車両情報として、車両の走行速度及び所定時点からの走行距離の積算値（以下、トリップ値という）を表示する場合を示している。なお、デジタル表示部５ｄに表示する前記車両情報は、ユーザーのスイッチユニット４の所定操作により切り換え可能となっている。また、デジタル表示部５ｄは、通常時の走行距離として車両の総走行距離の積算値（いわゆるオド値）を表示するものであっても良い。
【００２８】
以上の各部により、本発明の計器の駆動装置１が構成されている。
【００２９】
次に、図３及び図４を用いて、前記記憶機能及び前記レックトリップ表示機能における計器の駆動装置１の駆動方法を説明する。
【００３０】
第一の制御手段３ａは、通常動作モードにおいて、入力手段２からの前記各状態信号を入力し、前記各状態信号に応じて前記各車両情報データを算出して、前記各車両情報データを第二の制御手段５ａに送信している。また、第二の制御手段５ａは、受信した前記各車両情報データに応じて第一，第二のアナログ表示部５ｂ，５ｃ及びデジタル表示部５ｄに前記車両情報を表示させる表示動作を行わせている。第一の制御手段３ａは、ステップＳ１においてスイッチユニット４から前記記憶機能の書き込み処理を開始させる所定の記憶操作が入力されたか否かを判定し、前記記憶操作が入力されない場合は前記通常動作モードを継続し、また、前記記憶操作が入力されると、ステップＳ２に移行する。
【００３１】
第一の制御手段３ａは、前記通常動作モードを継続するとともに、ステップＳ２において、所定時間中に算出される前記各車両情報データを同期して記憶させるべくメモリーカード３ｂに書き込み処理を行う。
【００３２】
また、第一の制御手段３ａは、ステップＳ１においてスイッチユニット４の前記記憶操作が入力されると、ステップＳ３において、第二の制御手段５ａに所定の切換信号を送信する。第二の制御手段５ａは、前記切換信号を受信すると、デジタル表示部５ｄの表示内容を通常時の前記トリップ値の表示（図４（ａ）参照）から前記レックトリップ値の表示に切り換える（図４（ｂ）参照）。すなわち、前記車両情報データの書き込み処理が開始されると、デジタル表示部５ｄにおける走行距離の数字表示は自動的にゼロ表示されることとなる。このとき、前記レックトリップ値の表示は通常時の前記トリップ値とは異なる表示形態で表示される。具体的には、前記トリップ値の表示においては数値表示の向かって左側方に「ＴＲＩＰ」なる文字が表示されるところ、前記レックトリップ値の表示においては数値表示の向かって左側方には「ＲＥＣ
ＴＲＩＰ」なる文字が表示される。さらに、第一の制御手段３ａは、前記車両情報データの書き込み処理が行われる間、車速センサ２ａからの状態信号に応じて前記レックトリップ値を示す積算データを算出し、前記積算データを第二の制御手段５ａに送信する。第二の制御手段５ａは、前記積算データに基づいてデジタル表示部５ｄに積算される前記レックトリップ値を表示させる（図４（ｃ）参照）。また、第一の制御手段３ａは、ステップＳ２の書き込み処理において、前記車両情報データとして前記レックトリップ値を示す前記積算データをメモリーカード３ｂに記憶させる。また、第一の制御手段３ａは、ステップＳ３においてデジタル表示部５ｄに前記レックトリップ値が表示されているときに、スイッチユニット４の所定の切換操作が入力されると、第二の制御手段５ａに所定の切換信号を送信する。第二の制御手段は、前記切換信号を入力すると、デジタル表示部５ｄの表示内容を前記レックトリップ値の表示から通常時の前記トリップ値の表示に切り換える。なお、ステップＳ３においても通常時の前記トリップ値を示す積算データの算出は継続されており、前記トリップ値としては前記レックトリップ値を加算した値が表示される。
【００３３】
第一の制御手段３ａは、ステップＳ４において、スイッチユニット４の前記記憶機能を解除する所定の解除操作が入力されたか否かを判定し、前記解除操作が入力されると所定時間が経過していなくとも前記車両情報データの書き込み処理を中断し、前記記憶機能を解除する。このとき、前記レックトリップ表示機能も解除し、前記レックトリップ値を示す前記積算データの算出を終了し、第二の制御手段５ａに切換信号を送信してデジタル表示部５ｄの表示内容を通常時の前記トリップ値の表示に切り換えさせる（図４（ｄ）参照）。
【００３４】
第一の制御手段３ａは、ステップＳ４において前記解除操作が入力されない場合、ステップＳ５において、前記車両情報データの書き込み処理が所定時間なされたか否かを判定し、所定時間が経過していない場合は書き込み処理を継続させ、所定時間が経過した場合は、書き込み処理を終了し、前記記憶機能及び前記レックトリップ表示機能を解除する。
【００３５】
以上の処理を行うことによって、第一の制御手段３ａは、所定時間中における前記各車両情報データの計時変化をメモリーカード３ｂに記憶させることができ、また、前記レックトリップ値の表示によって、前記各車両情報データを記憶している間の走行距離を瞬時に認識することができる。
【００３６】
次に、図５を用いて、前記再生表示機能における計器の駆動装置１の駆動方法を説明する。
【００３７】
第一の制御手段３ａは、前記通常動作モードを実行している場合に、ステップＳ６においてスイッチユニット４の前記再生表示機能を開始させる所定の再生操作が入力されたか否かを判定し、前記再生操作が入力されない場合は前記通常動作モードを継続し、また、前記再生操作が入力されると、ステップＳ７に移行する。
【００３８】
第一の制御手段３ａは、ステップＳ７において、前記通常動作モードを解除するとともに、メモリーカード３ｂに記憶されている前記各車両情報データの読み込み処理を行う。
【００３９】
さらに、第一の制御手段３ａは、メモリーカード３ｂから読み込みを行った前記各車両情報データをコンビネーションメータ５の第二の制御手段５ａに送信する（ステップＳ８）。第二の制御手段５ａは、受信した前記各車両情報データに応じて第一，第二のアナログ表示部５ｂ，５ｃ及びデジタル表示部５ｄに過去の前記各車両情報を表示する再生表示動作をさせるべく表示制御を行う。このとき、デジタル表示部５ｄの表示内容として前記トリップ値の表示が選択されていると、前記第二の制御手段５ａは、前記車両情報データとして受信した前記レックトリップ値を示す前記積算データに基づいて過去の前記レックトリップ値を再生表示させる。なお、再生表示における前記レックトリップ値の表示形態は図４（ｂ）及び（ｃ）に示すものと同様である。
【００４０】
第一の制御手段３ａは、ステップＳ９において、スイッチユニット４の前記再生表示機能を解除する所定の解除操作が入力されたか否かを判定し、前記解除操作が入力されるとメモリーカード３ｂに記憶される前記各車両情報データの全てが読み込みあるいは送信される前であっても読み込み処理及びデータの送信を中断し、前記再生表示機能を解除し、前記通常動作モードに移行する。
【００４１】
第一の制御手段３ａは、ステップＳ９において前記解除操作が入力されない場合、ステップＳ１０において、メモリーカード３ｂに記憶された全ての前記各車両情報データが送信された否かを判定し、全ての前記各車両情報データが送信されていない場合は読み込み処理及び送信処理を継続させ、全ての前記各車両情報データが送信された場合は、読み込み処理及び送信処理を終了して前記再生表示機能を解除し、前記通常動作モードに移行する。
【００４２】
以上の処理を行うことによって、第一の制御手段３ａは、コンビネーションメータ５によって、過去の所定時間中における前記レックトリップ値を含む前記各車両情報の計時変化を再生表示させることができる。
【００４３】
以上の構成によれば、計器の駆動装置１は、第一，第二の制御手段３ａ，５ａによって、前記車両情報データの記憶を開始させると、前記レックトリップ値を算出してデジタル表示部５ｂに前記レックトリップ値を表示させることで、ユーザーが前記車両情報データが記憶されている間の走行距離を瞬時に認識することが可能となり、計器の駆動装置としての商品性を向上させることができる。
【００４４】
また、計器の駆動装置１は、第一，第二の制御手段３ａ，５ａによって、前記車両情報データの書き込み処理中に、デジタル表示部５ｄに前記レックトリップ値と通常時の前記トリップ値とを切り換えて表示可能とすることで、ユーザーが前記車両情報データが記憶されている間に表示される走行距離の内容を選択することができ、計器の駆動装置としての商品性を向上させることができる。
【００４５】
また、計器の駆動装置１は、第一，第二の制御手段３ａ，５ａによって、前記記憶機能において前記車両情報データとして前記レックトリップ値を示す前記積算データをメモリーカード３ｂに記憶させ、前記再生表示機能においてメモリーカード３ｂに記憶された前記積算データに基づいてデジタル表示部５ｄを再生表示動作させることで、第一，第二のアナログ表示部５ｂ，５ｃ及びデジタル表示部５ｄを再生表示させる場合においても、ユーザーが記憶処理中に車両が走行した走行距離を瞬時に認識することが可能となり、計器の駆動装置としての商品性を向上させることができる。
【００４６】
また、計器の駆動装置１は、デジタル表示部５ｄに前記レックトリップ値を表示させる際に、通常時の前記トリップ値の表示とは異なる表示形態で表示させることで、ユーザーが前記レックトリップ値が表示されているか否かを瞬時に判別することが可能となる。
【００４７】
なお、本実施形態においては、計器の駆動装置１は、前記車両情報データの書き込み処理中に、スイッチユニット４の前記切換操作を入力するとデジタル表示部５ｄの表示内容を前記レックトリップ値の表示から通常時の前記トリップ値の表示に切り換えるものであったが、本発明における車両情報データの記憶処理中の記憶処理中の走行距離と通常時の走行距離との表示の切り換えは本実施形態に限定されるものではなく、例えば記憶処理中の走行距離と通常時の走行距離とを交互に表示させる、あるいは所定の走行速度（例えば１０ｋｍ／ｈ）以下となった場合に前記記憶処理中の走行距離の表示から通常時の走行距離の表示に切り換えるものであってもよい。
【００４８】
なお、本実施形態は、前記レックトリップ値の表示を通常時の前記トリップ値の表示とは異なる表示形態で表示させるべく、数値表示の向かって側方に表示される文字表示を異ならせるものであったが、本発明における「異なる表示形態」は、本実施形態に限定されるものではなく、例えば通常時の前記トリップ値の表示において数値表示の向かって左側方に「ＴＲＩＰ」なる表示を点灯表示し、前記レックトリップ値の表示においてかかる「ＴＲＩＰ」なる表示を点滅表示させるものであってもよい。
【００４９】
また、本実施形態においては、計器の駆動装置１は、制御手段として、コントロールユニット３に備えられる第一の制御手段３ａと、コンビネーションメータ５に備えられる第二の制御手段５ａとの２つの制御手段を有するものであったが、本発明の計器の駆動装置は、単一の制御手段を有するものであってもよい。
【００５０】
また、本実施形態においては、第一の制御手段３ａ及びメモリーカード３ｂを有するコントロールユニット３と、第一，第二のアナログ表示部５ｂ，５ｃ及びデジタル表示部５ｄを有するコンビネーションメータ５とが別体に設けられるものであったが、本発明における計器の駆動装置は、制御手段，記憶手段及び表示部を有する計器が単一のケース体に設けられるものであってもよい。
【図面の簡単な説明】
【００５１】
【図１】本発明の実施形態の計器の駆動装置の電気的構成を示すブロック図。
【図２】同上計器の駆動装置の外観を示す図。
【図３】同上の記憶機能及びレックトリップ表示機能における制御方法を示す図。
【図４】同上のレックトリップ表示機能における表示例を示す図。
【図５】同上の再生表示機能における制御方法を示す図。
【符号の説明】
【００５２】
１ 計器の駆動装置
２ 入力手段
３ コントロールユニット
３ａ 第一の制御手段（制御手段）
３ｂ メモリーカード（記憶手段）
４ スイッチユニット
５ コンビネーションメータ（計器）
５ａ 第二の制御手段（制御手段）
５ｂ 第一のアナログ表示部
５ｃ 第二のアナログ表示部
５ｄ デジタル表示部（表示部）
【図１】
0005174318.tif 000002
【図２】
0005174318.tif 000003
【図３】
0005174318.tif 000004
【図４】
0005174318.tif 000005
【図５】
0005174318.tif 000006